【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
動力伝達ユニットのための切断組立体であって、
前記切断組立体は：
軸の周りで選択的に回転駆動され、前記回転軸に対して傾斜したカム表面と、前記カム表面から周方向に離間したボイドとを有する、カム；並びに
カム係合表面を有するカム従動子を備え、
前記カム係合表面は、前記カムの回転の少なくとも一部分の間に前記カム従動子が変位するように、前記カム表面によって係合されるよう配設され、
前記カム及び前記カム従動子の一方又は両方は、前記回転軸に対してある角度で設けられた境界表面を含み、これにより、前記カム表面が前記カム係合表面と係合していない場合に、前記カムの回転の少なくとも一部分の間の前記カム従動子の軸方向移動を制御する、切断組立体。
【請求項２】
前記カムは、それぞれが端部表面を画定する複数のランド部材と、各前記ランド部材の各側のボイドとを含み、
各前記ランド部材は、前記ランド部材の前記端部表面まで延在する、前記カム従動子を前記カムから離れるように軸方向に変位させるよう適合された、カム表面を含み、
各前記ランド部材はまた、前記端部表面から前記カムの回転方向に隣接するボイドまで延在する前記境界表面も含む、請求項１に記載の切断組立体。
【請求項３】
前記カム従動子は、それぞれが端部表面を画定する複数のランド部材と、各前記ランド部材の各側のボイドとを含み、
各前記ランド部材は、前記ランド部材の前記端部表面まで延在する、前記カム従動子を前記カムから離れるように軸方向に変位させるよう適合された、カム係合表面を含み、
各前記ランド部材はまた、前記カムの回転方向隣接するボイドまで延在する前記境界表面も含む、請求項１に記載の切断組立体。
【請求項４】
前記カムの回転中に、前記カムの前記カム表面は、前記カム従動子の１つの前記ランド部材の前記カム係合表面と係合し、これによって前記カム従動子を前記カムから離れる方向に軸方向に変位させ、
前記カムの前記ボイドに向かう前記カム従動子の前記ランド部材の移動は、前記カムを、前記カム従動子の隣接する境界表面と係合させ、これによって前記カムに向かう方向の前記カム従動子の軸方向移動を制御する、請求項３に記載の切断組立体。
【請求項５】
前記境界表面は、前記カム表面よりも急峻な角度で設けられ、これにより、カムの所定の回転量に関して、前記カム表面が前記カム従動子を変位させている時よりも、前記境界表面が前記カムによって係合された時の方が、前記カム従動子の更に大きな軸方向移動が発生する、請求項１に記載の切断組立体。
【請求項６】
前記カムは、複数のランド部材と、各前記ランド部材の両側のボイドとを有し、
前記カム従動子は、複数のランド部材と、前記カム従動子の各前記ランド部材の両側のボイドとを有し、
前記カムは、前記カム従動子に対して回転することによって、前記カムの前記ランド部材を前記カム従動子の前記ボイド内で選択的に位置決めし、
前記カムの更なる回転は、前記カムの前記ランド部材を前記カム従動子の前記ボイドから除去して、前記カム従動子を前記カムから離れるように軸方向に変位させ、
前記境界表面は、前記カムの前記ランド部材が前記カム従動子の前記ボイド内へと移動する際の前記カム従動子の軸方向移動を制御する、請求項１に記載の切断組立体。
【請求項７】
前記切断組立体はまた、カラーも備え、
前記カラーは、前記カム従動子に動作可能に連結され、かつ前記カム従動子が軸方向に移動する際に軸方向に可動であり、
前記カラーは、前記カラーが軸方向移動する際に、２つのシャフトを選択的に一体に連結及び連結解除するよう配設される、請求項１に記載の切断組立体。
【請求項８】
前記カラーは、前記カラーが前記カム従動子の軸方向移動に反応するように、前記カラーを降伏可能に付勢する少なくとも１つのばねによって、前記カム従動子に連結される、請求項７に記載の切断組立体。
【請求項９】
前記切断組立体はまた：
前記カムに連結されて前記カムを選択的に回転させる、ウォーム歯車；
前記ウォーム歯車に連結されて前記ウォーム歯車を回転駆動するシャフト；並びに
前記ウォーム歯車及び前記シャフトによって係合されて、前記シャフトと前記ウォーム歯車との間の直接的な接触を制限する、ダンパも備える、請求項１に記載の切断組立体。
【請求項１０】
動力伝達ユニットのための切断組立体であって、
前記切断組立体は：
ある軸の周りで回転する入力シャフト；
前記入力シャフトと軸方向に整列された切断シャフト；
カラー；及び
衝撃吸収デバイスを備え、
前記カラーは、前記入力シャフト及び前記切断シャフトに対して、前記カラーが前記入力シャフトと前記切断シャフトとを一体に連結することによって前記入力シャフトの回転が前記切断シャフトの回転を引き起こす係合位置と、前記カラーが前記入力シャフトと前記切断シャフトとを連結せず、前記切断シャフトが前記入力シャフトと共に回転しない係合解除位置との間で可動であり、
前記衝撃吸収デバイスは、前記カラーが前記係合位置にある場合に前記カラーを係合させるために、前記入力シャフトによって支持される、切断組立体。
【請求項１１】
前記衝撃吸収デバイスは、ばねワッシャ、単回ターンの波状ワッシャ、複数回ターンの波状ワッシャ、円錐形の皿ばね、屈曲したワッシャ、湾曲したワッシャ、指状ワッシャ、調整可能なスペーサ、他の弾性部材、又はダンパである、請求項１０に記載の組立体。
【請求項１２】
前記衝撃吸収デバイスは、フランジを有する端部部分を有し、
前記フランジは前記衝撃吸収デバイスを支持し、前記衝撃吸収デバイスを前記カラーと前記フランジとの間で圧縮できるようにする、請求項１０に記載の組立体。
【請求項１３】
前記入力シャフトは、スプライン付き部分を含み、
前記衝撃吸収デバイスは、前記スプライン付き部分と前記フランジとの間に配置される、請求項１２に記載のシフトカラー組立体装置。
【請求項１４】
動力伝達ユニットのための切断組立体であって、
前記切断組立体は：
ある軸の周りで回転する入力シャフト；
前記入力シャフトと軸方向に整列された切断シャフト；
カラー；
カム；
カム従動子；及び
境界表面を備え、
前記カラーは、前記入力シャフト及び前記切断シャフトに対して、前記カラーが前記入力シャフトと前記切断シャフトとを一体に連結することによって前記入力シャフトの回転が前記切断シャフトの回転を引き起こす係合位置と、前記カラーが前記入力シャフトと前記切断シャフトとを連結せず、前記切断シャフトが前記入力シャフトと共に回転しない係合解除位置との間で可動であり、
前記カムは、軸の周りで選択的に回転駆動され、複数のランド部材と、各前記ランド部材の各側のボイドとを有し、各前記ランド部材は、前記回転軸に対して傾斜したカム表面を有し、
前記カム従動子は、複数のランド部材と、前記カム従動子の各前記ランド部材の両側のボイドとを有し、前記カムは、前記カム従動子に対して回転することによって、前記カムの前記ランド部材を前記カム従動子の前記ボイド内で選択的に位置決めし、また前記カムの前記ランド部材を前記カム従動子の前記ボイドから選択的に除去して、前記カム従動子を前記カムから離れるように軸方向に変位させ、
前記境界表面は、前記カム及び前記カム従動子の一方又は両方によって支持され、これにより、前記カムの前記ランド部材が前記カム従動子の前記ボイド内へと移動する際の前記カム従動子の軸方向移動を制御し、
前記カラーは、前記カム従動子に動作可能に連結され、これにより前記カラーは、前記カム従動子が軸方向に移動する際に軸方向に移動して、前記カラーを前記係合位置と前記係合解除位置との間で移動させ、
前記境界表面は、前記係合解除位置から前記係合位置への道程の少なくとも一部における前記カラーの移動に対応する、前記カム従動子の移動を制御する、切断組立体。
【請求項１５】
前記組立体はまた、前記カラーが前記係合位置にある場合に前記カラーを係合させるために、前記入力シャフトによって支持される、衝撃吸収デバイスも含む、請求項１４に記載の組立体。
【請求項１６】
前記入力シャフトはフランジを有し、
前記フランジは前記衝撃吸収デバイスを支持し、前記衝撃吸収デバイスを前記カラーと前記フランジとの間で圧縮できるようにする、請求項１５に記載の組立体。
【請求項１７】
前記切断組立体はまた：
前記カムに連結されて前記カムを選択的に回転させる、ウォーム歯車；
前記ウォーム歯車に連結されて前記ウォーム歯車を回転駆動するシャフト；並びに
前記ウォーム歯車及び前記シャフトによって係合されて、前記シャフトと前記ウォーム歯車との間の直接的な接触を制限する、ダンパも備える、請求項１４に記載の切断組立体。
【請求項１８】
前記衝撃吸収デバイスは前記入力シャフトの端部部分で前記入力インプットによって支持される、請求項１０に記載の組立体。
【請求項１９】
カラーハウジング、前記カラーと前記カラーハウジングで作用するばねも備え、前記ばねは前記衝撃吸収デバイスから離れている、請求項１０に記載の組立体。
【請求項２０】
前記入力切断シャフトおよび前記カラーハウジングで作用する付勢ばねも備える、請求項１９に記載の組立体。